(57)【要約】【課題】入浴介護者が入浴者を手洗いする介護用開口を有するシャワー入浴装置の入浴用筐体など、密閉性を有する部屋の開口に設けられた横開きのカーテンを円滑に開閉でき、カーテンによる密閉度も向上することである。【解決手段】左右のカーテン２３、２４の開き開始端側を含む複数箇所に縦方向の筒部２５を縫製し、各筒部にゴム線２６を通してその上下の端部を各カーテンの上下端近くに設けたボタン穴からそれぞれカーテンの内側、外側に出して、該端部を上下のレール係合部材２７に結合する。そのレール係合部材２７を入浴用筐体１０内の介護用開口２０の上下端縁に沿った上下のカーテンレール２１、２２にゴム線２６に張力を付与した状態で装着して、左右のカーテンをレールに取り付け、カーテンを介護用開口に横開き可能に設けた。また開き開始端には筒部３５を設けて、そこに芯材３６を挿入して芯部を設けた。【選択図】　　　　図４
2004097362.tif 000002
【特許請求の範囲】
【請求項１】
密閉性を要する部屋の開口内側の壁面に設けられた前記開口の上下端縁に沿うカーテンレールに上下のレール係合部材により取り付けることによって、前記開口に横方向に開閉可能に設けられたカーテンであって、
少なくともカーテンの開き開始端に芯部を設けたことを特徴とするカーテン。
【請求項２】
前記芯部を複数箇所設けたことを特徴とする請求項１記載のカーテン。
【請求項３】
前記芯部はカーテン縦方向に筒部を設け、前記筒部に芯材を通してなることを特徴とする請求項１または２記載のカーテン。
【請求項４】
前記芯材が剛性を有する板材または棒材であることを特徴とする請求項１〜３のいずれかの項に記載のカーテン。
【請求項５】
前記上下のレール係合部材間に少なくともその一部に伸縮性を有する線材を掛け渡すと共に、該線材とカーテンとを係合して、前記レール係合部材によりカーテンを線材に張力を掛けた状態で前記カーテンレールに取り付けたことを特徴とする請求項１〜４のいずれかの項に記載のカーテン。
【請求項６】
前記カーテン自体が少なくとも上下方向に伸縮性を備え、前記レール係合部材によりカーテンを張力をかけた状態で前記カーテンレールに取り付けたことを特徴とする請求項１〜４のいずれかの項に記載のカーテン。
【請求項７】
入浴者を横たわった姿勢で収容する入浴用筐体を備え、前記筐体内の複数箇所に前記筐体内に収容された入浴者の身体に湯水を噴射するシャワー手段が設けられ、前記筐体の長手方向に沿う少なくとも一方の側壁に、前記入浴者の身体を手で洗う入浴介護者の介護用開口が設けられ、前記介護用開口にカーテンが設けられたシャワー入浴装置において、
前記カーテンが請求項１〜６のいずれかの項に記載のカーテンであることを特徴とするシャワー入浴装置。
【請求項８】
前記介護用開口は、前記筐体内に入浴介護者が上半身を入り込ませる４０ｃｍ以上の大きさを高さ方向に有することを特徴とする請求項７記載のシャワー入浴装置。
【発明の詳細な説明】
【０００１】
【発明の属する技術分野】
本発明は、密閉性を要する部屋の開口に設けられるカーテン、および該カーテンを備えたシャワー入浴装置に関するものである。
【０００２】
本発明において、密閉性を要する部屋としては、浴室を初めとして一般に水を扱う部屋などが挙げられるが、本発明のカーテンは、例えば高齢者や身体障害者等の要介護者のシャワー入浴に使用する入浴用筐体を備えたシャワー入浴装置に特に好適に用いることができる。
【０００３】
【従来の技術】
寝た切り老人等の高齢者や病人、身体障害者等の要介護者を入浴させるために、これら要介護者の入浴者に湯水を噴射するシャワー式の入浴装置が知られている。
【０００４】
このシャワー入浴装置は、一端に入浴者の入出口が設けられた筐体内の上下各複数箇所にシャワーノズルを備え、担架上に横たわった入浴者を入浴用筐体内に収容して、顔だけ外に出して筐体内に位置された入浴者の身体にシャワーノズルから湯水を噴射するようになっている。筐体の長手方向の両側壁には小さな介護用開口が複数設けられ、介護者が筐体の横に立って手を開口から筐体内に挿入し、筐体内の入浴者の身体を手で洗うことができるようになっている。介護用開口にはカーテンが設けられており、湯水を噴射する際には、カーテンで覆われる。手洗いされた入浴者は、再度、身体に湯水を噴射されて汚れを洗い流される。
【０００５】
しかしながら、入浴用筐体の側壁に設けた開口から手を挿入して、筐体内の入浴者の身体を洗うのでは、入浴介護者は窮屈な姿勢を強いられるばかりか、入浴者の手洗い位置の確認等も難しく、手洗い作業が入浴介護者にとって非常にやりづらい、労力の負担の大きい作業となる問題があった。
【０００６】
そこで、入浴用筐体の側壁に介護用開口を、入浴介護者が筐体内に上半身を入り込ませる大きさ、好ましくは筐体内に上半身を乗り出せる程度の大きさに設けることが考えられている。これによれば、入浴介護者が入浴者の身体に近い位置で、洗う場所を確認しながら手洗い作業ができるので、身体を十分に手洗いでき、入浴介護者の労力の負担も小さい。
【０００７】
この介護用開口には横開きのカーテン、好ましくは左右横方向に両開きの１対のカーテンが設けられ、湯水を噴射する際には、入浴者の保温および湯水の飛散防止のために、カーテンを閉めて開口を覆う。
【０００８】
【発明が解決しようとする課題】
ところで、介護用開口のカーテンは、入浴用筐体内の温度を保つため、開口部に対する密閉度を上げる必要があった。このため、カーテンを取着したフック等のレール係合部材を筐体内の開口の上下端縁に沿って設けたカーテンレールに遊嵌して摺動自在に取り付けるが、レール係合部材で上端だけをカーテンレールに吊り下げた家屋の窓等で使用されるカーテンとは違って、上下端がカーテンレールに遊嵌状態で拘束されているため、円滑に開閉できない問題があった。
【０００９】
またシャワー入浴中は、湯水の排水にともなう空気の流れによってカーテンが内側に引っ張られ、介護用開口とカーテンとの間、カーテン同士の重ね合わせ部（開き開始端）に隙間ができて外気が筐体内に入り、必ずも密閉度が十分でない問題もあった。
【００１０】
以上のような問題は、浴室の入出口の引き戸式あるいは回転式の開き戸の隙間からの脱衣室への湯水の飛散防止を目的として、入出口の内側に上記と同様な態様の上下のカーテンレールに取り付けたカーテンを設ける場合にも少なからず生じる。
【００１１】
このようなことから、シャワー入浴装置の入浴用筐体や浴室など密閉性を要する部屋の開口部に設けたカーテンを円滑に横開きに開閉でき、かつ開口部の密閉度も向上可能とすることが求められていた。
【００１２】
従って、本発明の課題は、上記従来の問題に鑑み、密閉性を要する部屋の開口部に設けられたカーテンであって、円滑に横開きに開閉できかつ開口部の密閉度も向上可能としたカーテン、および該カーテンを備えたシャワー入浴装置を提供することである。
【００１３】
【課題を解決するための手段】
上記課題を解決するために、本発明は、
密閉性を要する部屋の開口内側の壁面に設けられた前記開口の上下端縁に沿うカーテンレールに上下のレール係合部材により取り付けることによって、前記開口に横方向に開閉可能に設けられたカーテンであって、少なくともカーテンの開き開始端に芯部を設けたことを特徴とするカーテンである。
【００１４】
また本発明は、
密閉性を有する部屋が入浴者を横たわった姿勢で収容する入浴用筐体であり、筐体内の複数箇所に前記筐体内に収容された入浴者の身体に湯水を噴射するシャワー手段が設けられ、筐体の長手方向に沿う少なくとも一方の側壁に、入浴者の身体を手で洗う入浴介護者の介護用開口が設けられ、前記介護用開口にカーテンが設けられたシャワー入浴装置において、上記カーテンを備えることを特徴とする。介護用開口は、筐体内に入浴介護者が上半身を入り込ませる４０ｃｍ以上の大きさを高さ方向に有する。なお、入浴者が横たわった姿勢は、入浴者が傾斜した姿勢であってもよい。
【００１５】
好ましくは、前記上下のレール係合部材間に少なくともその一部に伸縮性を有する線材を掛け渡すと共に、該線材とカーテンとを係合して、前記レール係合部材によりカーテンを線材に張力を掛けた状態で前記カーテンレールに取り付ける。さらにカーテン自体を少なくとも上下方向に伸縮性を有するものとすることができる。
【００１６】
本発明では、カーテンの開き開始端に芯部を設けたので、開き開始端が堅固になり、これに手を掛けもしくは手で掴んで、力を入れてカーテンを引きやすい。またカーテンに係合した線材により上下のレール係合部材間に張力をかけた状態で、レール係合部材を上下のカーテンレールに取り付けると、カーテンに手を掛けて横方向に開閉する際、平行に力を掛けないでも、レール係合部材がカーテンレールに対し傾くことがなく、引っかかることがない。以上から、カーテンを円滑に開閉することができる。
【００１７】
また例えばシャワー入浴装置の場合、シャワー入浴中は湯水の排水にともなう空気の流れによって、カーテンが内側に引っ張られるが、張力を付与した線材をカーテンに係合しているので、開口との間でカーテンに隙間が開きづらい。またカーテンの開き開始端を堅固にしているので、重ね合わせた開き開始端同士の間に隙間が開きづらい。その結果、カーテンによって開口の密閉度を十分にでき、外気が筐体内に入るのを防ぐことができる。
【００１８】
またカーテンの開き開始端に芯部を設けるには、開き開始端に縦方向の筒部を設けて、筒部に芯材を通して取り付けるようにすることができる。この芯材は剛性を有する板材または棒材が好ましく、例えばプラスチックの板材、プラスチックの棒材、金属の板材および金属の棒材のうちの１種とすることができる。芯部はカーテンの開き開始端以外の箇所にも設けることができる。
【００１９】
【発明の実施の形態】
以下、本発明の実施の形態を詳述する。
【００２０】
図１は、本発明の一実施の形態にかかるカーテンを備えたシャワー入浴装置を示す側面図、図２は、入浴装置の入浴用筐体を示す斜視図である。本実施の形態において、シャワー入浴装置は、入浴用筐体１０と、ストレッチャー３０とを有し、他に図示しない給湯設備を備えたシステムとなっている。
【００２１】
ストレッチャー３０は、走行車輪３１ａを有する台車部３１上に、その後端寄りに設けた伸縮自在な支柱３２で担架部３３を片持ち状に支持してなっており、支柱３２はパルスモータを駆動源とする担架部３３の高さ調整機構を備えている。担架部３３は、長方形状の金属枠体に化学繊維のメッシュ等を架設して、湯水が通過可能に形成されている。この担架部３３上に入浴者Ｋを寝た姿勢、通常は、仰向けの姿勢で載せ、入浴介護者Ｎが担架部３３の後端部両端に設けられたハンドル３５を持ってストレッチャー３０を押すことにより入浴用筐体１０に運んで、入浴者Ｋを担架部３３ごと入浴用筐体１０内に収容するようになっている。
【００２２】
入浴用筐体１０は例えばＦＲＰ（繊維強化プラスチック）製で卵形の筒体からなり、その底壁に設けた前１本の支持脚１３ａ、後２本の支持脚１３ｂによって床２上に設置されている。ストレッチャー３０の台車部３１は、筐体１０下方で後２本の支持脚１３ｂ間を通って前の支持脚１３ａに突き当たり、その状態で、入浴者Ｋは、通常の設定では、顔を筐体１０外に残して身体の全体が担架部３３ごと筐体１０内に収容される。なお、顔を含む入浴者Ｋの全体を筐体１０内に収容するように、台車部３１を位置決め設定することもできる。筐体１０の後端には、寝た姿勢に支持された入浴者Ｋを担架部３３ごと筐体１０内に入出させる入出口１１が設けられている。
【００２３】
入浴用筐体１０の長手方向に沿う側壁、本例では両側壁に長穴状の介護用開口２０が設けられ、図３に示すように、入浴介護者Ｎが開口２０から上半身を入れて筐体１０内に乗り出して、手洗いできるようになっている。入浴用筐体内１０内には複数個のシャワーノズルが設けられ、本例では、幅方向両側の上下位置に、長手方向に間隔をあけて上下のシャワーノズル１６ａ、１６ｂがそれぞれ複数個設けられており、該ノズル１６ａ、１６ｂにより担架部３３上の入浴者Ｋに向けて上下から湯水を噴射できるようになっている。
【００２４】
このシャワーノズル１６ａ、１６ｂは、図示しない給湯装置からの給湯配管に接続されている。筐体１０の底壁の幅方向中央部には、長手方向の中央付近から前方寄りの位置にわたって細長い排水溝１４が設けられ、筐体１０の底壁の内面は、湯水が排出されやすいように排水溝１４に向けて緩く傾斜している。排水溝１４は、筐体１０の前端下部に設けられた排水端１５に連通しており、該排水端１５は外部の図示しない排水パイプに接続されている。
【００２５】
入浴用筐体１０の入出口１１には、図４に示すように、２枚のカーテン１２が一部重ねた状態で設けられている。このカーテン１２は、担架部３３ごと入浴者Ｋを筐体１０に入出可能なように、入出口１１周囲の筐体１０内面にカーテン１２の略上半部を係止して、略下半部を非拘束に垂らしたままとされている。介護用開口２０にもカーテンが設けられており、該開口２０のカーテンは、開口２０を正面に見て左右横方向に両開き可能な左右１対のカーテン２３、２４とされている。これらカーテン１２、２３、２４は、防水性素材、例えばポリエステル繊維の形態安定糸を使用した生地からなっており、アクリルコーティングによる防水処理、サニタイズ加工による防かび、抗菌、防臭処理、フッ素樹脂加工による撥水処理が施されている。
【００２６】
介護用開口２０は、四隅にＲを付けて丸みを帯びた水平方向の長穴に形成されているが、該開口２０の上下の間隔は、左側から中央付近までは平行で、中央付近から右側に行くにつれて上端が緩傾斜して狭まっている。これに合わせて、左のカーテン２２は長方形に形成するが、右のカーテン２３は上端が右端側に向けて下る向きに緩く傾斜した台形に形成されている。また筐体１０内には、開口２０の上下端縁に沿って上下のカーテンレール２１、２２を設けるが、上のカーテンレール２１は中央部付近を緩く折曲して、水平な左半部２１ａに対し右半部２１ｂを上記と同一に傾斜した態様に設けている。
【００２７】
この左右のカーテン２３、２４は、通常、左のカーテン２３の左端および右のカーテン２４の右端をレール係合部材２７により上下のカーテンレール２１、２２に固定して使用する。カーテン２３、２４は、閉めた状態で、介護用開口２０の周囲内側に突出し、またカーテン２３、２４同士が横方向に一部重なる大きさに設けられており、湯水噴射時の筐体１０内の密閉性を高められるようになっている。
【００２８】
本発明によれば、この左右のカーテン２３、２４の手を掛ける内側の開き開始端側の１箇所またはこれを含む横方向の複数箇所に伸縮性を有する縦方向の線材を設けており、本例では、図５（ａ）、（ｂ）に示すように、開き開始端側を含む横方向の５箇所に縦方向の筒部２５を形成して、該筒部２５に伸縮性線材として断面円形のゴム、即ちゴム線２６を通した。そしてゴム線２６の上下の端部２６ａ、２６ｂをそれぞれレール係合部材２７に結合して、レール係合部材２７によりカーテン２３、２４を上下のカーテンレール２１、２２に取り付けた。さらにカーテンの開き開始端には芯部を設けた。本例では、開き開始端に筒部３５を設けて、筒部３５に縦方向の芯材３６を挿入することにより、開き開始端の芯部とした。
【００２９】
ゴム線２６の筒部２５は、左右のカーテン２３、２４用にそれぞれ長方形、台形に裁断した防水性のカーテン地Ｆに、図６（ａ）に示すように、横方向の５箇所で縦方向のひだを取って、各箇所で１つの穴が設けられるようにして３重に重ね、その重ね部の両端にステッチ縫いｓをカーテン地の縦方向に施すことにより形成する。このようにして形成された筒部２５は、カーテン２３、２４の表側（筐体１０の外に面する側）に位置し、筒部２５に入ったゴム線の出っ張りが筐体１０内の入浴者Ｋが見えないようにして、カーテン２３、２４の内側（筐体１０の内方に面する側）の美観を高めている。ただし、筒部２５のひだを取る方向は、左のカーテン２４では、図６（ａ）の右のカーテン２３の場合と逆方向にしてあるが、同方向でもよい。
【００３０】
そして各筒部２５の上端から同一距離の上端近くの位置で、二重のカーテン地側（カーテンの内側）にスリット状の穴として水平にボタンホール２５ａを縫製し、筒部２５に通したゴム線２６の上端部２６ａをボタンホール２５ａからカーテンの内側に出し、レール係合部材２７に取り付けた。各筒部２５の下端では、下端から上端のときよりは多少長い同一距離の下端近くの位置で、一重のカーテン地側（カーテンの外側）に水平にボタンホール２５ｂを縫製し、筒部２５に通したゴム線２６の下端部２６ｂをボタンホール２５ｂからカーテンの外側に出して、レール係合部材２７に取り付けた。ゴム線２６の出す方向を上下で逆にしてもよく、さらには上下ともカーテンの外側あるいは内側としてもよい。なお、カーテン２３、２４の上下端には縁かがり縫いを施してある。
【００３１】
ゴム線２６は、筒部２５内に通すことによりカーテンと係合され、さらに上下のボタンホール２５ａ、２５ｂでの拘束によっても係合されるが、好ましくは、ゴム線２６とカーテンとのずれを確実に防止するために、図６（ｂ）に示すように、上のボタンホール２５ａの下側位置で筒部２５上から縫い止めｔを施して、筒部２５とゴム線２６とを結合しておくことがよい。カーテンの下側は垂れ下がりにより、ゴム線２６に対し自然に捲れ上がることはないので、図６（ｃ）に示すように、筒部２５上から縫い付けることはせず、そのままにしておく。
【００３２】
芯材３６の筒部３５は、左右のカーテン２３、２４の開き開始端にゴム線２６の筒部２５に準じた方法で設けられ、カーテン地に襞を取って穴部が形成されるように２重に重ね、その開放端側の重ね部にステッチ縫いｓをカーテン地の縦方向に施すことにより形成する。カーテンの開き開始端付近の拡大図を左のカーテン２３を例にとって図７（ａ）、（ｂ）に示す。図７（ａ）はカーテンの外側から見た場合、図７（ｂ）はカーテンの内側から見た場合である。
【００３３】
筒部３５には、筒部２５の上のボタンホール２５ａと同位置に、芯材３６を筒部３５に挿入するボタンホール３５ａが設けてある。またカーテンの下端直近位置に全体にわたって施してあるステッチ縫いにより、筒部３５の底部３５ｂが画されている。本例では、筒部３５に挿入した芯材３６により、芯部をカーテンの開き開始端の上端寄りの位置から下端直近位置まで設けた。なお、芯材３６による芯部は、開き開始端の上下端一杯まで設けてもよい。
【００３４】
芯材３６としては、剛性を有する細長い板あるいは棒などを用いることができる。例えばアクリル等のプラスチックやアルミニウム等の金属の板や棒などとされる。本例では、アクリルの丸棒を用いた。これらの芯材３６は、筒部３５にきつい状態で挿入できる幅もしくは厚さあるいは直径を有することが好ましい。カーテンの開き開始端への芯材３６の取付けは、芯材３６をボタンホール３５ａから筒部３５に挿入して、筒部３５に収容することでよい。
【００３５】
芯材３６は、図９（ａ）に示すように、カーテンの開き開始端に筒部３５を設けずに、縫い止めｔや接着等により直接固定することもできる。なお、図９（ｂ）に示すように、カーテンの開き開始端を複数回折り返して縫い止めｔを施すことにより、開き開始端に芯部を設けてもよい。あるいは図９（ｃ）に示すように、筒部３５に空気や粉体、液体等の流体を直接密封したり、これらの流体を密封した筒体を筒部３５に挿入することにより、開き開始端に芯部を設けることもできる。
【００３６】
カーテンレール２１、２２は共に断面円形のロッドからなっており、図示しないブラケットで筐体１０内の開口２０の上下端縁に沿った位置に取り付けられている。レール係合部材２７は、図８（ａ）に示すように、穴が形成された２つの舌片２７ａ、２７ｂを円弧部２７ｃで繋いだ態様の断面略Ｒ状のフックに形成されており、円弧部２７ｃでカーテンレールを遊嵌状態に把持するようになっている。このレール係合部材２７の円弧部２７ｃとの間に段を付けずに直線的に突出した側の舌片２７ａの穴２７ａ１に、カーテンの筒部２５の上のボタンホール２５ａから外に出したゴム線２６を内側から外側に通して、図８（ｂ）に示すように、ゴム線２６にその上端部２６ａを複数回ジグザグに絡ませてからゴム線２６を両方向に引くことにより、上端部２６ａに結び目２６ａ１を作ってレール係合部材２７に係止する。同様にして、カーテンの筒部２５の下のボタンホール２５ｂから外に出したゴム線２６の下端部２６ｂに結び目を作って、下用に用意されたレール係合部材２７に係止する。
【００３７】
そしてゴム線２６の上端部を取り付けたレール係合部材２７の舌片２７ａ、２７ｂを上のカーテンレール２１に当てて、レール係合部材２７をカーテンレール２１に対し押し込むことにより、円弧部２７ｃをカーテンレール２１に遊嵌して、カーテンの上側をカーテンレール２１に取り付ける。下側では、ゴム線２６の下端部２６ｂを取り付けたレール係合部材２７を下に引っ張って、ゴム線２６に張力を付与した状態で、同様にレール係合部材２７を下のカーテンレール２２に押し込み、円弧部２７ｃをカーテンレール２２に遊嵌して、カーテンの下側をカーテンレール２２に取り付ける。ゴム線２６の長さは、上下のレール係合部材２７間の長さに上下の結びしろを加えた長さより１２０ｍｍ程度短くして、カーテンレールに取り付けたときゴム線２６に中程度の張力が掛かるようにしておく。なお、この短くする長さは１２０ｍｍに限定されるものではない。右のカーテン２４では、右側に行くほど筒部の高さ、したがってボタンホール間の長さが短くなるので、それに合わせてもゴム線２６の長さを短くする。
【００３８】
これにより、左右のカーテン２３、２４がゴム線２６を緊張させた状態でカーテンレール２１、２２に取り付けられ、介護用開口２０に左右横方向に両開き可能に設けられる。左のカーテン２３の１番左端および右のカーテン２４の１番右端のレール係合部材２７は、上下のカーテンレール２１、２２に固定する。
【００３９】
左右のカーテン２３、２４にレール係合部材２７を直接結合して、上下のカーテンレール２１、２２に取り付けた場合、レール係合部材２７がカーテンレールに遊嵌した状態で上下両端が拘束されているので、手でもって左右のカーテン２３、２４を開閉しようとする際、カーテンに平行に力を掛けないと、上下のレール係合部材がカーテンレールに対し傾いて引っかかってしまい、円滑に開けることができない。カーテンの所々に縦方向に剛性のある心棒を入れて、この心棒にレール係合部材を結合してカーテンレールに取り付けた場合も同様で、カーテンに平行に力を掛けないと、上下のレール係合部材が傾いてカーテンレールに引っかかってしまい、円滑に開けることができない。
【００４０】
これに対し、上記のように、左右のカーテン２３、２４の横方向複数箇所、少なくとも開き開始端側に縦方向の筒部２５を設けてゴム線２６を通し、このゴム線２６に結合したレール係合部材２７により、ゴム線２６に張力を付与した状態でカーテン２３、２４を上下のレール２１、２２に取り付けているので、カーテンの開き開始端に手を掛けて開く際、平行に力を掛けないでも、レール係合部材２７がカーテンレールに対し傾むことがなく、引っかかることがない。またカーテン２３、２４の開き開始端に芯材３６を取り付けているので、開き開始端が堅固になって、これに手を掛けもしくは手で掴んで力を入れやすい。したがって、カーテン２３、２４を円滑に開閉することができる。
【００４１】
またシャワー入浴中は湯水の排水にともなう空気の流れによって、カーテン２３、２４が内側に引っ張られるが、張力を付与した線材２６をカーテンに係合しているので、介護用開口２０との間でカーテンに隙間が開きづらい。またカーテン２３、２４の開き開始端に芯部を設けて、開き開始端を堅固にしているので、重ね合わせた開き開始端同士の間に隙間が開きづらい。以上から、カーテン２３、２４によって開口２０の密閉度を十分にでき、外気が筐体１０内に入るのを防ぐことができる。
【００４２】
介護用開口および左右のカーテンの数値の一例を挙げると、開口２０の横方向の最大部の長さ：１２５０ｍｍ、縦方向の最大部（平行部）の長さ：４７０ｍｍ、最小部の長さ：４００ｍｍである。左のカーテン２３は、横方向の長さ：７５５ｍｍ、縦方向の長さ（高さ）：５９０ｍｍ、筒部２５の長さ：４８０ｍｍ、ステッチ縫いｓ−ｓ間の長さ：１２．５ｍｍであり、右のカーテン２４は、横方向の長さ：７５５ｍｍ、縦方向の最大長さ（高さ）５９０ｍｍ、最小長さ（高さ）：４８８ｍｍ、筒部２５の最大長さ４８０ｍｍ、最小長さ：３９５ｍｍで、ステッチ縫いｓ−ｓ間の長さ：同様に１２．５ｍｍである。また芯部用の筒部３５は、長さ：４８０ｍｍ、ステッチ縫いｓ−端部間の長さ：１８．５ｍｍであり、芯材３６：アクリル樹脂製の丸棒、長さ：４６０ｍｍ、直径１０ｍｍである。
【００４３】
なお、シャワー入浴装置で入浴者Ｋをシャワー入浴させるには、まず、入浴用筐体１０内に担架部３３ごと入浴者Ｋを収容したら、筐体１０両側の左右のカーテン２３、２４を内側に引いて、カーテン２３、２４同士が一部重なるように閉める。ついで給湯設備から供給された湯水を上下のシャワーノズル１６ａ、１６ｂから入浴者Ｋの身体に数分間噴射して、身体を湯水で暖める。湯水の噴射が終わったら、入浴介護者Ｎが筐体１０の一方の側壁に立って、カーテン２３、２４を左右に引き介護用開口２０を開けて、開口２０から筐体１０内に上半身を乗り出し、入浴者Ｋを手洗いする。手洗いが終わり、入浴介護者Ｎが筐体１０内から上半身を退いて、手洗い作業が終了したら、カーテン２３、２４を閉めて、再度、入浴者Ｋの身体に湯水を噴射し、一連のシャワー入浴が終わる。
【００４４】
この際、カーテン２３、２４を引っかかることなく引いて、円滑に開閉することができる。また入浴介護者が入浴者の身体に近い位置で、洗う場所を確認しながら十分に手洗いでき、入浴介護者の労力の負担も小さい。
【００４５】
以上の実施の形態では、カーテン２３、２４とゴム線２６とを係合するためににカーテンの縦方向全体にわたる筒部２５を設けて、これにゴム線２６を通すようにしたが、本発明はこれに限られず、筒部はカーテンの少なくとも上下端部に設けるだけでもよい。またゴム線２６はカーテン２３、２４の開き開始端を含む横方向５箇所に配置したが、カーテンの開き開始端側に配置するだけでもよい。さらに開き開始端側を除けば、ゴム線はカーテンに対し傾斜乃至はクロスするように上下のレール係合部材に取り付けて配置することができる。またレール係合部材２７間に張力を付与するためにゴム線を掛け渡したが、全体がゴムでなくてもよく、上下部あるいは中間部等にゴム線を介挿して、一部に伸縮性を有する線材を掛け渡してもよい。線材の一部に伸縮性を持たせるには、カーテンロッドのような緩いコイルばね状の線材等を使用することも可能である。
【００４６】
またカーテンレールは円形ロッドに限らず、スライダーを収容した断面コ字状のレールなど種々の形態のものを使用することができ、レール係合部材２７もこれに合わせた種々の形態のものを使用することができる。さらに線材の全体もしくは上下部がゴムからなる場合には、その線材の上下部に輪を作って、上下部自体をカーテンレールへのレール係合部材にしてもよい。勿論、カーテンレールはこれに合わせて、フック部が付いたスライダーを有するものにする。
【００４７】
さらに左右のカーテンに伸縮性ある線材を係合せずに、カーテン自体に伸縮性を持たせてもよい。これには、スポーツウエア等に使用されるストレッチ素材、例えばポリウレタン繊維やポリエーテル・ポリエステル繊維のような伸縮性のある繊維を単独で使用し、または他の繊維と複合した複合糸として使用して製織したカーテン素材を用いればよい。
【００４８】
また芯部はカーテン２３、２４の開き開始端にのみ縦方向に設ける例を示したが、芯部をカーテンの横方向複数箇所に縦方向に設けてもよい。こうすれば、カーテンに上下に張力を持たせなくても、カーテンの密閉性を高めることができる。
【００４９】
以上の実施の形態では、介護用開口２０に対し左右のカーテンを設けたが、横開きのカーテンならば１枚でもよい。
【００５０】
また入浴用筐体１０の介護用開口２０は、入浴介護者が入浴者の身体に近い位置で、洗う場所を確認しながら手洗い作業ができればよく、したがって入浴介護者がかがんで上半身を筐体１０内に入れられる４０ｃｍ以上の大きさが高さ方向にあればよく、筐体内に上半身を乗り出せる大きさに必ずしもする必要がない。ストレッチャー３０の担架部３３は、入浴者Ｋを寝た姿勢に支持して、筐体内に入出する全体がフラットな形状のものに限られず、入浴者を傾斜した姿勢で支持する背もたれ部を有する形状のものにしてもよい。
【００５１】
以上では、本発明のカーテンをシャワー入浴装置における入浴用筐体の介護用開口に適用した場合を示したが、本発明はこれに限れず、浴室の入出口にも適用でき、さらに一般に水を扱う部屋など密閉性を要する部屋の開口部にも適用することができる。
【００５２】
【発明の効果】
以上の説明から明らかなように、本発明によれば、密閉性を要する部屋の開口部にカーテンを設けて、該カーテンを円滑に横開きに開閉できかつ開口部の密閉度も向上することができる。殊に本発明のカーテンをシャワー入浴装置の入浴用筐体の介護用開口に適用した場合には、入浴用筐体内に収容した入浴者を入浴介護者が介護用開口に半身を入れて手洗いするに際し、介護用開口のカーテンを円滑に開閉して手洗いを実施でき、またシャワーの湯水噴射時には、介護用開口をカーテンで閉じて、高い密閉度で入浴者の保温および湯水の飛散防止をできるので、特に好適である。
【図面の簡単な説明】
【図１】本発明の一実施の形態にかかるカーテンを備えたシャワー入浴装置を示す側面図である。
【図２】図１の入浴装置における入浴用筐体を示す斜視図である。
【図３】入浴用筐体の介護用開口から介護者が筐体内に身を乗り出して入浴者を手洗いするところを示す断面図である。
【図４】入浴用筐体の介護用開口に左右カーテンが設けられているところを示す斜視図である。
【図５】図４の左右のカーテンを示す正面図である。
【図６】図５のカーテンに設けたゴム線を通す筒部の図で、その横断面図（ａ）、上下端部の縦断面図（ｂ）および（ｃ）である。
【図７】図５の左のカーテンの開き開始端付近を拡大して示す図で、カーテンを外側から見た図（ａ）および内側から見た図（ｂ）である。
【図８】図６のゴム線を結び付けたレール係合部材のカーテンレールへの取り付けを示す斜視図（ａ）およびゴム線の結び目の作り方を示す図（ｂ）である。
【図９】図５の左のカーテンの開き開始端に設けられる芯部の他の幾つかの例を示す斜視図である。
【符号の説明】
１０　入浴用筐体
２０　介護用開口
２１、２２　カーテンレール
２３　左のカーテン
２４　右のカーテン
２５　筒部
２５ａ、２５ｂ　ボタンホール
２６　ゴム線
２７　レール係合部材
３０　ストレッチャー
３３　担架部
３５　筒部
３６　芯材
Ｋ　　入浴者
Ｎ　　入浴介護者
【図１】
2004097362.tif 000003
【図２】
2004097362.tif 000004
【図３】
2004097362.tif 000005
【図４】
2004097362.tif 000006
【図５】
2004097362.tif 000007
【図６】
2004097362.tif 000008
【図７】
2004097362.tif 000009
【図８】
2004097362.tif 000010
【図９】
2004097362.tif 000011